(57)【要約】    【課題】  粘着テープで被結束物を結束する際に、粘着テープの剥離を容易にするための摘み代を自動的に形成することが可能な結束用粘着テープカッターを提供する。    【解決手段】  粘着テープ巻付体１３を回転可能に支持するテープ支持部と、被結束物Ｗの導入口１６と取出し口１７とを連通する誘導路１５と、粘着テープ巻付体１３から引き出される粘着テープ１２を誘導路１５内へ誘導し、被結束物Ｗに粘着テープ１２を包囲させるテープ供給部材２９と、誘導路１５におけるテープ供給部材２９の後方に位置し、誘導路１５内に出没可能に突出するテープ切断部３４と、テープ支持部と誘導路１５との間に、粘着テープ１２の縁部１２Ｅを所定幅で粘着面１２Ａ側に折り返してなる重合部１２Ｃを形成する重合部形成機構２０が設けられてなる結束用粘着テープカッター１である。【選択図】    図１
2006151567.tif 000002
【特許請求の範囲】
【請求項１】
被結束物を粘着テープにより結束する結束用粘着テープカッターであって、
片面が粘着面のテープをロール状に巻いてなる粘着テープ巻付体を回転可能に支持するテープ支持部と、
前記被結束物の導入口と取出し口とを連通する誘導路と、
前記粘着テープ巻付体から引き出される粘着テープを前記誘導路内へ誘導すると共に、前記被結束物に粘着テープを包囲させるテープ供給部材と、
前記誘導路におけるテープ供給部材の後方に位置し、当該誘導路内に出没可能に突出するテープ切断部と、
を備え、
前記テープ支持部と誘導路との間に、前記粘着テープの長手方向の少なくとも一縁に、その縁部を所定幅で粘着面側に折り返してなる重合部を形成する重合部形成機構が設けられてなり、
前記重合部形成機構は、
前記粘着テープ巻付体の粘着テープ巻き出し位置近傍に配設され、当該粘着テープの非粘着面を支持する第１の支持部材と、
前記第１の支持部材よりも下流側に配設され、前記粘着テープの縁部に所定の折り曲げ幅を残して当該粘着テープの粘着面を支持し、当該折り曲げ幅部分を折り曲げる折り曲げ部材と、
前記折り曲げ部材よりも下流側に配設され、前記粘着テープの当該折り曲げ部材によって折り曲げられた部分を鋭角に折り返す折り返し部材と、
前記折り返し部材と対向した位置に配設されると共に、前記粘着テープの非粘着面を支持し、前記折り返し部材によって折り返された部分を当該粘着テープの粘着面に押圧して貼り合せる貼り合せ部材と、
を備えてなる結束用粘着テープカッター。
【請求項２】
前記貼り合せ部材よりも下流側に配設され、前記粘着テープの非粘着面を支持する第２の支持部材をさらに備えてなる請求項１記載の結束用粘着テープカッター。
【請求項３】
前記折り曲げ部材の表面に凹凸を形成してなる請求項１または請求項２記載の結束用粘着テープカッター。
【請求項４】
前記第１の支持部材、前記折り曲げ部材、前記貼り合せ部材は、前記粘着テープを上流側から下流側に誘導するよう回転可能に配設されたローラ部材からなる請求項１記載の結束用粘着テープカッター。
【請求項５】
前記第２の支持部材は、前記粘着テープを上流側から下流側に誘導するよう回転可能に配設されたローラ部材からなる請求項２記載の結束用粘着テープカッター。
【請求項６】
前記折り曲げ部材の、前記粘着テープの重合部が形成される側とは反対側の縁部が位置する側の端部に、当該粘着テープの位置を規制する規制部を設けた請求項１ないし請求項５のいずれか一項に記載の結束用粘着テープカッター。
【請求項７】
前記折り曲げ部材の規制部と、前記折り返し部材の粘着テープの重合部が形成される側の縁部が当接する当接部との距離が、当該粘着テープ巻付体を形成している粘着テープの幅よりも短い請求項６記載の結束用粘着テープカッター。
【請求項８】
前記第２の支持部材の、前記粘着テープの重合部が形成される側とは反対側の縁部が位置する側の端部に、当該粘着テープの位置を規制する規制部を設けた請求項１ないし請求項７のいずれか一項に記載の結束用粘着テープカッター。
【請求項９】
前記第２の支持部材の規制部と、前記折り返し部材の粘着テープの重合部が形成される側の縁部が当接する当接部との距離が、当該粘着テープ巻付体を形成している粘着テープの幅よりも短い請求項８記載の結束用粘着テープカッター。
【請求項１０】
前記折り返し部材は、前記粘着テープの当該折り曲げ部材によって折り曲げられた部分近傍のみを押圧可能な押圧部を備えてなる請求項１ないし請求項９のいずれか一項に記載の結束用粘着テープカッター。
【請求項１１】
前記折り返し部材は、前記折り曲げ部材によって折り曲げられた粘着テープの非粘着面に当接し、当該粘着テープの折り曲げ角度がさらに鋭角になるように誘導する第１の折り曲げ誘導部材と、当該第１の折り曲げ誘導部材によって折り曲げられた粘着テープの折り曲げ角度が略１８０度になるように誘導する第２の折り曲げ誘導部と、を備えてなる請求項１ないし請求項１０のいずれか一項に記載の結束用粘着テープカッター。
【請求項１２】
前記テープ供給部材は、放射状に配設された多数の突起を有し、前記粘着テープを上流側から下流側に誘導するよう回転可能であると共に、当該突起が前記誘導路内に位置し、当該誘導路内に導入された被結束物に前記突起が係合して回転される請求項１ないし請求項１１のいずれか一項に記載の結束用粘着テープカッター。
【請求項１３】
前記テープ供給部材の突起の先端に対向した位置に配設され、当該テープ供給部材に対して進退可能に揺動すると共に、前記テープ供給部材の突起の先端が当接して摺動する湾曲した摺動面を有し、当該摺動面が前記粘着テープの粘着面を所定の長さにわたって貼着する貼着部材をさらに備えた請求項１ないし請求項１２のいずれか一項に記載の結束用粘着テープカッター。
【請求項１４】
前記貼着部材に、当該貼着部材が前記テープ供給部材の突起の先端に圧接するよう当該貼着部材を付勢する付勢部材を設けた請求項１３記載の結束用粘着テープカッター。
【請求項１５】
前記テープ切断部は、前記テープ供給部材よりも下流側に配設されると共に、略中央部を支点として回動可能であり、下端側が前記誘導路内に常時位置するように付勢され、上端側に切断用の刃が設けられてなり、当該誘導路内に導入された被結束物に押圧されて回動し、前記上端側に設けられた切断用の刃が、当該誘導路内に進出して前記粘着テープを切断する請求項１ないし請求項１４のいずれか一項に記載の結束用粘着テープカッター。
【請求項１６】
請求項１に記載の結束用粘着テープカッター用粘着テープであって、
前記結束用粘着テープカッターの重合部形成機構によって形成される重合部となるべき領域の近傍に、当該重合部に沿ってマーク用ラインが形成されてなる結束用粘着テープカッター用粘着テープ。
【請求項１７】
前記マーク用ラインに、重合部の存在を告知するための記号、文字、絵の少なくとも一つが記載されてなる請求項１６記載の結束用粘着テープカッター用粘着テープ。
【発明の詳細な説明】
【技術分野】
【０００１】
本発明は、例えば、袋口や複数の棒状製品等の被被結束物の結束位置を粘着テープによって自動的に結束する結束用粘着テープカッターに関する。
【背景技術】
【０００２】
従来から、粘着テープは、布、セロハン、クラフト紙、ゴム、ポリ塩化ビニルなどの薄膜状の長尺な基材の片面に、ゴムまたは合成樹脂を主材とする粘着剤を塗布したものであり、通常、この粘着テープは、ロール状に巻かれて粘着テープ巻付体とされて流通している。そして、様々な接着用途に使用されている。
【０００３】
このような粘着テープを用いて、袋口や複数の棒状製品等の被結束物の結束位置を自動的に結束する結束用粘着テープカッターが種々知られている。例えば、この種の結束用粘着テープカッターとして、粘着テープの粘着テープ巻付体を回転可能に保持する保持部と、被結束物を案内誘導する誘導路と、前記粘着テープ巻付体から引き出された粘着テープを誘導路内へ誘導すると共に被結束物に粘着テープを包囲させるための凹所を有するテープ供給手段と、前記誘導路におけるテープ供給手段の後方側の下方に位置して誘導路内に出没可能に突出するテープカッターとを有するものが知られている。
【０００４】
このように構成される結束用粘着テープカッターによれば、保持部に保持された粘着テープ巻付体から引き出された粘着テープを、テープ供給手段上にセットした後、被結束物を導入口から誘導路内に挿入させると、被結束物がテープ供給手段の凹所に案内されると共に、被結束物の外周に粘着テープが包囲された後、粘着テープが貼着して被結束物を束ね締め（結束）状態にシールすることができる。そして、誘導路の後方側へ送られた被結束物に貼着された粘着テープの粘着テープ巻付体側がテープカッターによって切断された後、被結束物を誘導路から取出し可能とすることができる。そして、結束された被結束物の先端部、例えば、袋口先端部を切断する必要がある場合は、誘導路の側方に装着されたカッターによって切断している。（例えば、特許文献１〜３参照）。
【０００５】
また、結束用粘着テープカッターを使用して被結束物を結束する作業中に、作業者が誤ってカッターに指を接触させる危険性が無いように、被結束物の先端部の切断用カッターへの指の接触を防止して安全に結束作業を行えるようにした結束用粘着テープカッターも紹介されている。この結束用粘着テープカッターは、異なる大きさの被結束物の結束作業を容易にすると共に、粘着テープの密着性の向上を図れるようにし、更に、結束シール装置の運搬を容易に行える構成を備えている。（例えば、特許文献４参照）。
【特許文献１】実公昭４４−１４９５８号公報
【特許文献２】実公昭６１−４０６５５号公報
【特許文献３】実公昭６２−２１５３４号公報
【特許文献４】特開平１１−９１７３０号公報
【発明の開示】
【発明が解決しようとする課題】
【０００６】
しかしながら、従来の結束用粘着テープカッターに使用されている粘着テープは、袋口や複数の棒状製品等の被結束物の結束位置を自動的に結束した後、再び結束を解除するなど、一時的な仮止めに用いられることが多い。このような場合、前記粘着テープは、前記結束位置から引き剥がされるか、あるいは切断される。
【０００７】
ここで、前記結束用粘着テープカッターによって被結束物を結束するために使用される粘着テープは、薄い基材の片面全体に粘着剤が塗布されているため、被結束物に貼り付けられた粘着テープを、当該被結束物から引き剥がすのは困難であり、面倒な作業である。すなわち、被結束物に対して接着面の全面が貼り付いた粘着テープを剥がす際には、例えば、粘着テープの外周部を爪などで捲り起こして摘み代を形成し、この摘み代を指先で引く剥がす必用がある。この摘み代を捲り起こす作業は、面倒で難しく、煩わしいものであり、前記粘着テープの全面にわたって貼り付けられていると、粘着テープを剥がす作業が益々困難になる。したがって、例えば、結束された袋口を開ける場合、鋏みやカッターナイフなどを使用して袋口を切断したり、結束された棒状製品等の結束を解除する場合は、棒状製品等を傷つけないように注意しながら結束テープを鋏みやカッターナイフなどを使用して切断するなどしているのが実情である。
【０００８】
本発明は、このような従来の結束用粘着テープカッターを改良することを課題とするものであり、粘着テープで被結束物を結束する際に、粘着テープの剥離を容易にするための摘み代を自動的に形成することが可能な結束用粘着テープカッターを提供することを目的とする。
【課題を解決するための手段】
【０００９】
この目的を達成するため、本発明は、被結束物を粘着テープにより結束する結束用粘着テープカッターであって、片面が粘着面のテープをロール状に巻いてなる粘着テープ巻付体を回転可能に支持するテープ支持部と、前記被結束物の導入口と取出し口とを連通する誘導路と、前記粘着テープ巻付体から引き出される粘着テープを前記誘導路内へ誘導すると共に、前記被結束物に粘着テープを包囲させるテープ供給部材と、前記誘導路におけるテープ供給部材の後方に位置し、当該誘導路内に出没可能に突出するテープ切断部と、を備え、前記テープ支持部と誘導路との間に、前記粘着テープの長手方向の少なくとも一縁に、その縁部を所定幅で粘着面側に折り返してなる重合部を形成する重合部形成機構が設けられてなり、前記重合部形成機構は、前記粘着テープ巻付体の粘着テープ巻き出し位置近傍に配設され、当該粘着テープの非粘着面を支持する第１の支持部材と、前記第１の支持部材よりも下流側に配設され、前記粘着テープの縁部に所定の折り曲げ幅を残して当該粘着テープの粘着面を支持し、当該折り曲げ幅部分を折り曲げる折り曲げ部材と、前記折り曲げ部材よりも下流側に配設され、前記粘着テープの当該折り曲げ部材によって折り曲げられた部分を鋭角に折り返す折り返し部材と、前記折り返し部材と対向した位置に配設されると共に、前記粘着テープの非粘着面を支持し、前記折り返し部材によって折り返された部分を当該粘着テープの粘着面に押圧して貼り合せる貼り合せ部材と、を備えてなる結束用粘着テープカッターを提供するものである。
【００１０】
この構成を備えた結束用粘着テープカッターは、テープ支持部に回転可能に支持された粘着テープ巻付体から引き出された粘着テープに前記重合部を形成する際に、折り曲げ部材が粘着テープの粘着面を支持する（接触する）が、この結束用粘着テープカッターには、粘着テープを挟んで折り曲げ部材と対向した位置に、この粘着テープを当該折り曲げ部材に強く押圧するための部材（例えば、ローラなど）が配設されていないため、粘着テープの粘着面が当該折り曲げ部材の表面に強く接着されることなく、粘着テープは下流側に誘導される。また、第１の支持部材及び貼り合せ部材には、粘着テープの非粘着面が接触することになる。したがって、粘着テープを粘着テープ巻付体から引き出す際に必用な力が小さくてすみ、粘着テープの引き出しをスムーズに行うことができる。
【００１１】
また、本発明にかかる結束用粘着テープカッターは、前記貼り合せ部材よりも下流側に配設され、前記粘着テープの非粘着面を支持する第２の支持部材をさらに備えてなることができる。このように、第２の支持部材を設けることで、前記利点に加え、粘着テープをより安定した状態で、テープ供給部材に到達させることができる。
【００１２】
そしてまた、本発明にかかる結束用粘着テープカッターは、前記折り曲げ部材の表面に凹凸を形成することができる。このような構成にすることで、粘着テープの粘着面が接触する折り曲げ部材の表面の面積（粘着面との接触面積）を小さくすることができる。したがって、粘着テープを粘着テープ巻付体から引き出す際に必用な力は、より一層小さくなり、粘着テープの引き出しをさらにスムーズに行うことができる。
【００１３】
前記第１の支持部材、前記折り曲げ部材、前記貼り合せ部材は、例えば、前記粘着テープを上流側から下流側に誘導するよう回転可能に配設されたローラ部材から構成することができる。また、前記第２の支持部材も、例えば、前記粘着テープを上流側から下流側に誘導するよう回転可能に配設されたローラ部材から構成することができる。
【００１４】
また、本発明にかかる結束用粘着テープカッターは、前記折り曲げ部材の、前記粘着テープの重合部が形成される側とは反対側の縁部が位置する側の端部に、当該粘着テープの位置を規制する規制部を設けることもできる。このように規制部を設けることで、前記粘着テープの折り曲げをより安定して確実に行うことができる。
【００１５】
そしてまた、本発明にかかる結束用粘着テープカッターは、前記折り曲げ部材の規制部と、前記折り返し部材の粘着テープの重合部が形成される側の縁部が当接する当接部との距離を、当該粘着テープ巻付体を形成している粘着テープの幅よりも短くなるよう形成することができる。このように構成することでも、前記粘着テープの折り曲げをより安定して確実に行うことができる。
【００１６】
さらにまた、本発明にかかる結束用粘着テープカッターは、前記第２の支持部材の、前記粘着テープの重合部が形成される側とは反対側の縁部が位置する側の端部に、当該粘着テープの位置を規制する規制部を設けることもできる。このように構成することでも、前記粘着テープの折り曲げをより安定して確実に行うことができる。
【００１７】
そしてまた、前記第２の支持部材の規制部と、前記折り返し部材の粘着テープの重合部が形成される側の縁部が当接する当接部との距離を、当該粘着テープ巻付体を形成している粘着テープの幅よりも短くなるよう形成することができる。このように構成することでも、前記粘着テープの折り曲げをより安定して確実に行うことができる。
【００１８】
また、前記折り返し部材は、前記粘着テープの当該折り曲げ部材によって折り曲げられた部分近傍のみを押圧可能な押圧部を備えて構成してもよい。折り返し部材をこのように構成することで、折り返し部材の、粘着テープの粘着面と接触する面積を小さくすることができる。したがって、粘着テープを粘着テープ巻付体から引き出す際に必用な力は、より一層小さくなり、粘着テープの引き出しをさらにスムーズに行うことができる。
【００１９】
さらにまた、前記折り返し部材は、前記折り曲げ部材によって折り曲げられた粘着テープの非粘着面に当接し、当該粘着テープの折り曲げ角度がさらに鋭角になるように誘導する第１の折り曲げ誘導部材と、当該第１の折り曲げ誘導部材によって折り曲げられた粘着テープの折り曲げ角度が略１８０度になるように誘導する第２の折り曲げ誘導部と、を備えて構成することもできる。折り返し部材をこのように構成することで、粘着テープをより一層確実に安定して折り返すことができる。
【００２０】
また、本発明にかかる結束用粘着テープカッターは、前記テープ供給部材が、放射状に配設された多数の突起を有し、前記粘着テープを上流側から下流側に誘導するよう回転可能であると共に、当該突起が前記誘導路内に位置し、当該誘導路内に導入された被結束物に前記突起が係合して回転される構成を備えることができる。
【００２１】
そしてまた、本発明にかかる結束用粘着テープカッターは、前記テープ供給部材の突起の先端に対向した位置に配設され、当該テープ供給部材に対して進退可能に揺動すると共に、前記テープ供給部材の突起の先端が当接して摺動する湾曲した摺動面を有し、当該摺動面が前記粘着テープの粘着面を所定の長さにわたって貼着する貼着部材をさらに備えた構成とすることもできる。
【００２２】
また、本発明にかかる結束用粘着テープカッターは、前記貼着部材に、当該貼着部材が前記テープ供給部材の突起の先端に圧接するよう当該貼着部材を付勢する付勢部材を設けた構成とすることもできる。
【００２３】
さらにまた、本発明にかかる結束用粘着テープカッターは、前記テープ切断部は、前記テープ供給部材よりも下流側に配設されると共に、略中央部を支点として回動可能であり、下端側が前記誘導路内に常時位置するように付勢され、上端側に切断用の刃が設けられてなり、当該誘導路内に導入された被結束物に押圧されて回動し、前記上端側に設けられた切断用の刃が、当該誘導路内に進出して前記粘着テープを切断する構成とすることもできる。
【００２４】
そしてまた、本発明は、前述した本発明にかかる結束用粘着テープカッター用粘着テープであって、前記結束用粘着テープカッターの重合部形成機構によって形成される重合部となるべき領域の近傍に、当該重合部に沿ってマーク用ラインが形成されてなる結束用粘着テープカッター用粘着テープを提供するものである。
【００２５】
この構成を備えた結束用粘着テープカッター用粘着テープは、被結束物を結束した際に、重合部の位置をマーク用ラインによって示すことができる。したがって、使用者は、被結束物の結束を解除する際に、粘着テープを剥離するための摘み代（すなわち、重合部）を容易に見つめることができ、結束解除操作をより一層簡単に行うことができる。
【００２６】
また、前記マーク用ラインには、重合部の存在を告知するための記号、文字、絵の少なくとも一つを記載することができる。
【発明の効果】
【００２７】
本発明にかかる結束用粘着テープカッターは、テープ支持部に回転可能に支持された粘着テープ巻付体から引き出された粘着テープに前記重合部を形成する際に、粘着テープの粘着面が重合部形成機構を構成する部品の表面に強く接着されることがなく、小さな力で粘着テープを粘着テープ巻付体から引き出すことができる。この結果、粘着テープの引き出しをスムーズに行うことができ、被結束物を粘着テープにより結束する際の作業性を向上することができる。
【発明を実施するための最良の形態】
【００２８】
次に、本発明の好適な実施の形態にかかる結束用粘着テープカッターについて図面を参照して説明する。
【００２９】
図１は、本発明の好適な実施の形態にかかる結束用粘着テープカッターの斜視図、図２は、図１に示す結束用粘着テープカッターの正面図、図３は、図２に示す結束用粘着テープカッターの平面図であり、粘着テープ巻付体を取り外した状態を示す図、図４は、図３に示すIV−IV線に沿った断面図、図５は、図２に示す結束用粘着テープカッターの右側面図、図６は、図２に示す結束用粘着テープカッターの左側面図、図７は、図２に示す結束用粘着テープカッターの分解斜視図であり、粘着テープ巻付体を省略して示す図、図８は、図４に示す結束用粘着テープカッターに、粘着テープ巻付体に回転可能に支持された粘着テープ巻付体を取り付けた状態を示す図、図９は、図３に示す結束用粘着テープカッターに粘着テープを通過させた状態を示す図、図１０〜図２１は、本実施の形態にかかる結束用粘着テープカッターによる結束操作の過程を段階的に説明する図、図２２は、本実施の形態にかかる結束用粘着テープカッターによって結束された被結束物を示す斜視図、図２３は、本実施の形態にかかる結束用粘着テープカッターに使用される粘着テープの一部平面図である。
【００３０】
図１〜図２２に示すように、本実施の形態にかかる結束用粘着テープカッター１は、所定間隔を隔てて対向配置された支持板１１Ａ及び１１Ｂを備えている。この支持板１１Ａ及び１１Ｂは、結束用粘着テープカッター１のハウジングとしての役割を果たしている。支持板１１Ａ及び１１Ｂの上流側（図２でいう左側）には、粘着テープ１２がロール状に巻付けられたロール芯１３Ａの軸部１３Ｂを回転可能に支持する切欠き１４Ａ及び１４Ｂがそれぞれ形成されている。この切欠き１４Ａ及び１４Ｂによって、後に詳述する粘着テープ巻付体１３を回転可能に支持するテープ支持部を構成している。
【００３１】
なお、ロール芯１３Ａに、一方の面が粘着面１２Ａからなり、他方の面が非粘着面１２Ｂからなる粘着テープ１２をロール状に巻付けることによって、粘着テープ巻付体１３が形成される。
【００３２】
粘着テープ１２は、図２３に示すように、粘着テープ１２の一縁部端からＬ1の距離を置いた位置に、幅Ｌ2のマーク用ライン１２Ｆが、粘着テープ１２の長手方向に沿って連続的に記載されている。なお、粘着テープ１２の一縁部端から、マーク用ライン１２Ｆまでの領域（距離Ｌ1までの領域）が、粘着テープ１２の縁部１２Ｅとなる。このマーク用ライン１２Ｆには、「Ｐｅｅｌ  ｏｆｆ  Ｅａｓｙ」と記載されている。また、図２３に示す符号Ｌ3は、マーク用ライン１２Ｆから粘着テープ１２の前記一縁部端と反対側の端までの距離を示している。
【００３３】
この粘着テープ１２は、後に詳述する本実施の形態にかかる結束用粘着テープカッター１によって、端部１２Ｅが折り返しされて重合部１２Ｃ（図９参照）が形成された際にマーク用ライン１２Ｆが、重合部１２Ｃに隣接するように形成されている。
【００３４】
支持板１１Ａ及び１１Ｂの下流側（図２でいう右側）には、上方から下方に向けて開口された切欠き１５Ａ及び１５Ｂが形成されており、この切欠き１５Ａ及び１５Ｂと、支持板１１Ａ及び１１Ｂとの間に形成された空間とによって、被結束物Ｗが通過する誘導路１５を形成している。この誘導路１５は、上部が、被結束物Ｗの導入口１６となっており、下部が、被結束物Ｗを取り出すための取出し口１７となっている。取出し口１７の奥側には、横方向に延びる案内溝１８が形成されており、この案内溝１８の下辺には、被結束物Ｗの先端部を切断する切断用カッター１９が配設されている。また、支持板１１Ａ及び１１Ｂの下端は、互いに外側に向けて略直角に折り曲げられた脚部１１Ｃ及び１１Ｄとなっている。
【００３５】
支持板１１Ａは、切欠き１４Ａと切欠き１５Ａとの間に位置する上部が凹状に切りかかれており、ここに重合部形成機構２０が設けられる。この重合部形成機構２０は、粘着テープ巻付体１３の粘着テープ巻き出し位置近傍に回転可能に配設され、粘着テープ１２の非粘着面１２Ｂを支持する第１の支持ロール２１と、第１の支持ロール２１よりも下流側に回転可能に配設され、粘着テープ１２の縁部に所定の折り曲げ幅を残して粘着テープ１２の粘着面１２Ａを支持し、この粘着テープ１２の支持板１１Ｂ側の縁部１２Ｅ（図９参照）の折り曲げ幅部分を折り曲げる折り曲げロール２２と、折り曲げロール２２よりも下流側に配設され、粘着テープ１２の折り曲げロール２２によって折り曲げられた部分を鋭角に折り返す折り返し部材２３と、折り返し部材２３と対向した位置に回転可能に配設されると共に、粘着テープ１２の非粘着面１２Ｂを支持し、折り返し部材２３によって折り返された縁部１２Ｅを粘着テープ１２の粘着面１２Ａに押圧して貼り合せる貼り合せロール２４と、貼り合せロール２４よりも下流側に回転可能に配設され、粘着テープ１２の非粘着面１２Ｂを支持する第２の支持ロール２５と、を備えて構成されている。
【００３６】
第１の支持ロール２１は円筒形状を備え、その軸芯方向両側が支持板１１Ａ及び１１Ｂに回転可能に取り付けられている。
【００３７】
折り曲げロール２２は、第１の支持ロール２１よりも直径が大きい円筒形状を備え、その軸芯方向の支持板１１Ｂ側が、支持板１１Ｂに回転可能に取り付けられている。折り曲げロール２２の表面には、円周に沿って複数の溝２２Ａが形成されている。また、この折り曲げロール２２の支持板１１Ａ側の端部には、フランジ２２Ｂが形成されている。このフランジ２２Ｂと、後に詳述する折り返し部材２３の粘着テープ１２の重合部１２Ｃ（図９参照）が形成される側の縁部が当接する当接部２３Ａ（図３参照）との距離は、粘着テープ１２の幅よりも小さく設定されており、これによって、フランジ２２Ｂは、粘着テープ１２の位置を規制する規制部としての役割を果たしている。
【００３８】
折り返し部材２３は、上流側から順に、折り曲げロール２２で折り曲げられた粘着テープ１２の縁部１２Ｅの非粘着面１２Ｂに当接して、縁部１２Ｅの折り曲げ角度を保持する折り曲げ角度保持部２６と、折り曲げ角度保持部２６に連続して形成され、粘着テープ１２の縁部１２Ｅの折り曲げ角度が略１２０度に、つまり、粘着面１２Ａ側で略６０度の鋭角になるよう誘導する第１の折り曲げ誘導部材２７と、第１の折り曲げ誘導部材２７に連続して形成され、粘着テープ１２の縁部１２Ｅの非粘着面１２Ｂに接触して折り曲げ角度を略１８０度に折り返す第２の折り曲げ誘導部材２８と、を備えている。
【００３９】
折り曲げ角度保持部２６は、支持板１１Ｂから支持板１１Ａ側に向けて突出形成しており、この突出によって、粘着テープ１２の縁部１２Ｅの非粘着面１２Ｂに当接するよう構成されている。
【００４０】
第１の折り曲げ誘導部材２７は、上部側が下部側よりも支持板１１Ａ側に向けて突出したテーパ形状を備え、このテーパの角度に応じて粘着テープ１２の縁部１２Ｅの折り曲げ角度が決定される。（なお、前述したように、本実施の形態では、略１２０度程度）。
【００４１】
第２の折り曲げ誘導部材２８は、第１の折り曲げ誘導部材２７よりもさらに支持板１１Ａ側に向けて突出されており、支持板１１Ａ側の粘着テープ１２の折り返された縁部１２Ｅが通過する部分は、詳述する貼り合せロール２４との隙間が狭くなるよう構成されている。この隙間の狭い部分は、粘着テープ１２の縁部１２Ｅの非粘着面１２Ｂに接触し、縁部１２Ｅを略１８０度に折り返す役割を果たしている。
【００４２】
貼り合せロール２４は、円筒形状を備え、その軸芯方向の支持板１１Ｂ側が、支持板１１Ｂに回転可能に取り付けられている。この貼り合せロール２４は、折り返し部材２３の第２の折り曲げ誘導部材２８と対向した下部近傍に配設されると共に、粘着テープ１２の非粘着面１２Ｂを支持し、折り返し部材２３によって折り返された粘着テープ１２の縁部１２Ｅを粘着面１２Ａに押圧して貼り合せる。
【００４３】
第２の支持ロール２５は、円筒形状を備え、その軸芯方向両側が支持板１１Ｂに回転可能に取り付けられている。第２の支持ロール２５の支持板１１Ａ側の端部には、フランジ２５Ａが形成されている。このフランジ２５Ａと、折り返し部材２３の粘着テープ１２の重合部１２Ｃ（図９参照）が形成される側の縁部が当接する当接部と２３Ａ（図３参照）との距離は、粘着テープ１２の幅よりも小さく設定されており、これによって、フランジ２５Ａは、粘着テープ１２の位置を規制する規制部としての役割を果たしている。
【００４４】
重合部形成機構２０の下流側、すなわち、誘導路１５の被結束物Ｗの導入口１６近傍には、テープ供給部材２９が配設されている。このテープ供給部材２９は、粘着テープ巻付体１３から引き出される粘着テープ１２を誘導路１５内へ誘導すると共に、被結束物Ｗに粘着テープ１２を包囲させる構成を備えている。具体的には、テープ供給部材２９は、所定間隔で放射状に突出する多数の係合突起２９Ａを有した羽根車状であり、支持板１１Ａ及び１１Ｂの間に回転自在に軸支されて設けられている。
【００４５】
このテープ供給部材２９は、粘着テープ１２を上流側から下流側に誘導するよう回転可能であると共に、係合突起２９Ａが誘導路１５内に位置し、誘導路１５内に導入された被結束物Ｗに係合突起２９Ａが係合して回転される。すなわち、被結束物Ｗは、係合突起２９Ａの先端に巻回係止されて、誘導路１５内に導かれるようになっている。この時、被結束物Wは、テープ供給部材２９の係合突起２９Ａの先端に巻回されている粘着テープ１２を係合突起２９Ａと、これに隣接する係合突起２９Ａとの間に押し込んで、テープ供給部材２９を押し回すことになる。そして、この動作により粘着テープ１２に作用する張力によって、重合部１２Ｃが形成されている粘着テープ１２が被結束物Ｗを包囲して、粘着面１２Ａ同士を圧着し、被結束物Ｗを結束する。
【００４６】
誘導路１５を挟んでテープ供給部材２９と対向した位置には、テープ供給部材２９に対峙して、粘着テープ１２の先端部の粘着面１２Ａを所定長さに亘って貼着して止着する貼着部材３０が設けられている。この貼着部材３０は、支持板１１Ａと支持板１１Ｂとの間に掛け渡されて設けられた支軸３１にその上部が軸支されて揺動可能に設けられており、支軸３１を屈曲部とした略Ｌ字状を有している。そして、テープ供給部材２９に対面する貼着部材３０の側面部は、テープ供給部材２９の係合突起２９Ａの先端に当接して、係合突起２９Ａの回転摺動を許容するように凹状に湾曲した摺動面３２となっている。この摺動面３２が、粘着テープ１２の粘着面１２Ａを所定の長さに亘って貼着係止するための貼着部となっている。
【００４７】
この摺動面３２は、その下方部分が上方部分よりも曲率が大きく形成されており、このため、略中央位置から下の下方部分には係合突起２９Ａの先端は当接するが、上方部分には係合突起２９Ａは当接せずに離間した状態となっている。
【００４８】
貼着部材３０の支軸３１を挟んでテープ供給部材２９に対面しない側部分には、貼着部材３０の摺動面３２を、テープ供給部材２９の係合突起２９Ａの先端に常時圧接して粘着テープ１２を係止するコイルスプリング３３が配設されている。貼着部材３０は、このコイルスプリング３３に付勢されて、摺動面３２の下端部が、誘導路１５内に突出し、被結束物Wが上方から挿通されて来ると、誘導路１５内に突出した下端部分に、その被結束物Wが当接して押し戻されて、誘導路１５内から待避するようになっている。そして、後に詳述するが、被結束物Ｗは、貼着部材３０の下方まで押し下げられると、誘導路１５内を移動してきた結束部位に粘着テープ１２が環状に巻回されて結束された状態になる。
【００４９】
また、テープ供給部材２９及び貼着部材３０の下方には、テープ切断部３４が、支持板１１Ａ及び１１Ｂに架け渡された支軸３５によって回動可能に配設されている。このテープ切断部３４は、被結束物Wの誘導路１５を挟んで、貼着部材３０とは反対側に配置されている。支軸３５は、誘導路１５に近接して設けられ、力点部となる一方の端部３４Ａは誘導路１５内に向けて延び、作用点部となる他方の端部３４Ｂは、上方に屈曲してテープ供給部材２９の直ぐ下まで延びており、支軸３５を屈曲点として略L字状に屈曲形成されている。また、テープ切断部３４は、その下方の力点側端部３４Ａが誘導路１５内に常時臨むように、コイルスプリング３６によって付勢されている。そして、力点側端部３４Ａが誘導路１５内を下方に挿通移動される被結束物Wに係合して揺動（回動）されることにより、上方の作用点側端部３４Ｂに取り付けられたカッター刃３７が貼着部材３０の直下の誘導路１５内に出没して、粘着テープ１２を切断するようになっている。
【００５０】
また、テープ切断部３４の力点側端部３４Ａの先端には、切り離された粘着テープ１２の端部同士を圧着させてその両粘着面１２Ａの接着を確実にするための圧着用レバー４０が、常時押圧された状態で設けられている。この圧着用レバー４０は、その下端部４０Ａが支軸４１によって回動可能に軸支されており、コイルスプリング４２によって、テープ切断部３４の力点側端部３４Ａ方向（図４でいう反時計方向）に常時付勢されていて、上端部４０Ｂがテープ切断部３４の力点側端部３４Ａの先端面に押圧接触されている。なお、符号４５は、圧着用レバー４０がそれ以上回動することを防止するためのストッパである。
【００５１】
相互に当接する圧着用レバー４０の上端部４０Ｂとテープ切断部３４の力点側端部３４Ａの先端面は、共に円弧面に形成されていて、力点側端部３４Ａの先端面は半円形になっている。即ち、被結束物Wがテープ切断部３４を押し下げて行き、圧着用レバー４０との当接部に至ると、圧着用レバー４０の上端部４０Ｂは、被結束物Wにより押し戻されて力点側端部３４Ａから離間し、その間を被結束物Wが通過する。そして、被結束物Wが通過すると、被結束物Wの結束部位を周回して結束した粘着テープ１２を力点側端部３４Ａとの間で挟んで両面から抑圧して圧着し、その後にテープ切断部３４のカッター刃３７が粘着テープ１２を切断するようになっている。切断された粘着テープ１２は、圧着用レバー４０と力点側端部３４Ａとの間を引き抜かれていき、その全長に亘って粘着面１２Ａ同士が確実に押圧接着されることになる。
【００５２】
次に、本実施の形態にかかる結束用粘着テープカッター１の具体的動作について説明する。
【００５３】
先ず、支持板１１Ａ及び１１Ｂに形成された切欠き１４Ａ及び１４Ｂに、粘着テープ巻付体１３から引き出される粘着テープ１２の粘着面１２Ａが上を向くように、軸部１３Ｂをセットする。次に、第１の支持ロール２１の上部に、粘着テープ１２の非粘着面１２Ｂが載置され、折り曲げロール２２の下部に、粘着テープ１２の粘着面１２Ａが位置し、折り返し部材２３と貼り合せロール２４との間に粘着テープ１２を挿入し、さらに第２の支持ロール２５の上部に、粘着テープ１２の非粘着面１２Ｂが載置され、テープ供給部材２９に至るように、粘着テープ１２をセットする。
【００５４】
次に、被結束物Wの結束部位の周囲に粘着テープ１２を周回して結束するには、先ず、図１０に示すように、被結束物Wを誘導路１５の導入口１６に挿入する時点では、粘着テープ１２は先端部が貼着部材３０の摺動面３２に所定の長さに亘って貼着されて、テープ供給部材２９の係合突起２９Ａの先端間に掛け回されている。
【００５５】
この状態で、図１１〜図１３に示すように、被結束物Wを誘導路１５内に挿入して下方に挿通していくと、被結束物Wは、係合突起２９Ａとこれに隣接する係合突起２９Ａとの間に形成される凹部内に進入しながらテープ供給部材２９を押し回していく。この時点では、被結束物Wが当接する係合突起２９Ａの先端は、貼着部材３０の摺動面３２の下側面に当接していない。
【００５６】
なお、この動作により、粘着テープ１２は、粘着テープ巻付体１３から引き出される。この時、粘着テープ１２は、先ず、第１の支持ロール２１に支持されて、折り曲げロール２２の下部に誘導される。この折り曲げロール２２では、フランジ２２Ｂによって、粘着テープ１２の支持板１１Ａ側の端部を係止し、粘着テープ１２の位置を規制する。この規制によって、粘着テープ１２の支持板１１Ｂ側の縁部１２Ｅが、折り曲げロール２２の支持板１１Ｂ側の端部から外れてフリーな状態となる。すなわち、この折り曲げロール２２は、粘着テープ１２の縁部１２Ｅに所定の折り曲げ幅を残して、粘着テープ１２の粘着面１２Ａを支持し、この折り曲げ幅部分を折り曲げることになる。
【００５７】
次に、折り曲げロール２２を経た粘着テープ１２は、縁部１２Ｅの非粘着面１２Ｂが折り返し部材２３の折り曲げ角度保持部２６に当接し、折り曲げロール２２で折り曲げられた縁部１２Ｅの折り曲げ角度が保持された状態で、第１の折り曲げ誘導部材２７に至る。
この第１の折り曲げ誘導部材２７では、粘着テープ１２の縁部１２Ｅの折り曲げ角度が約１２０度程度となるように、粘着テープ１２の縁部１２Ｅをさらに折り曲げる。次いで、この粘着テープ１２は、第２の折り曲げ誘導部材と、貼り合せロール２４との間に挿入され、粘着テープ１２の縁部１２Ｅを略１８０度に折り返し、この部分の粘着面１２Ａ同士を貼着して重合部１２Ｃを形成する。その後、重合部１２Ｃが形成された粘着テープ１２は、第２の支持ロール２５を経て、テープ供給部材２９に至る。
【００５８】
この粘着テープ１２の縁部１２Ｅに重合部１２Ｃを形成する一連の動作では、粘着テープ１２の粘着面１２Ａは、折り曲げロール２２の表面に接触することになるが、折り曲げロール２２の表面に形成された複数の溝２２Ａによって、粘着面１２Ａとの接触面積が小さくなるため、粘着テープ１２を粘着テープ巻付体１３から引き出す際に必用な力を削減することができる。また、粘着テープ１２を折り曲げロール２２に強く押圧するための部材（例えば、ローラなど）も配設されていない。したがって、粘着テープ１２の粘着面１２Ａが折り曲げロール２２の表面に強く接着されることがなく、粘着テープ１２の引き出しをスムーズに行うことができる。
【００５９】
次に、テープ供給部材２９がさらに回転すると、図１４に示すように、被結束物Wが当接する係合突起２９Ａの先端が、摺動面３２に当接して摺動する。そして、先行する係合突起２９Ａは、図１５に示すように、粘着テープ１２の非粘着面１２Ｂを滑っていき、この非粘着面１２Ｂを摺動面３２に押圧して貼着を確実なものとしていく。やがて先行する係合突起２９Ａは、摺動面３２の下端から離脱する。そして、被結束物Wの結束部位には、先行して摺動面３２に貼り付いていた粘着テープ１２が徐々に引き剥がされて反転しながら巻き付いていく。
【００６０】
さらにテープ供給部材２９が回転されていくと、図１６に示すように、被結束部Wが当接する係合突起２９Ａは、摺動面３２に貼り付いた粘着テープ１２の非粘着面１２Ａ上を滑っていき、その貼着が更に確実なものとされていく一方、後続の係合突起２９Ａの先端が、粘着テープ１２の非粘着面１２Ｂを滑っていく。
【００６１】
そして、さらにテープ供給部材２９が回転していくと、図１７に示すように、被結束物Wの直ぐ後ろの係合突起２９Ａが摺動面３２に当接し、摺動面３２から剥離されて表出した粘着テープ１２の粘着面１２Ａに係合突起２９Ａの先端に係止した粘着テープ１２の粘着面１２Ａを押し付けて仮止めする。また、これとほぼ同時に、被結束物Wが当接した直前の係合突起２９Ａが摺動面３２から離脱する。
【００６２】
次に、図１８及び図１９に示すように、直前の係合突起２９Ａが摺動面３２から離脱すると、被結束物Wは、貼着部材３０の摺動面３２の下端部に直接に当接し、貼着部材３０をコイルスプリング３３の付勢力に抗して回動させつつ、貼着部材３０の下方に抜け、次いで、貼着部材３０は再び係合突起２９Ａに当接することになる。
【００６３】
そして、図２０に示すように、被結束物Ｗを更に下方に移動させていくと、粘着テープ１２が巻回されたテープ供給部材２９は、粘着テープ１２と共に共周りし、摺動面３２の先端から下方に引き出される粘着テープ１２の粘着面１２Ａには、摺動面３２に貼り付いている既に先行して引き出されていた粘着テープ１２が引き剥がされつつ反転して、その両粘着面１２Ａ同士が貼り合わされていく。このとき摺動面３２に貼り付いた粘着テープ１２は反転して非粘着面１２Ｂ同士が摺り合わされることになるので、粘着テープ１２は抵抗なく円滑に下方に引き出し得る。また、揺動面３２側に貼り付いた粘着テープ１２がその全長に亘って引き剥がされつつ重合されて、所定の長さ分だけ下方に引き出されると、被結束物Wは、テープ切断部３４を押し回して回動させ、これによりカッター刃３７が貼着部材３０の下端部の直下で粘着テープ１２を切断することになる。
【００６４】
その後、必要に応じて、被結束物Wの先端を切断用カッター１９で切断し、被結束物Wを取出し口１７から取り出す。
【００６５】
以上の工程によって、粘着テープ１２による結束が行われた被結束物Wは、重合部１２Ｃが形成された粘着テープ１２を貼着しているため、この重合部１２Ｃが、粘着テープ１２の剥離を容易にするための摘み代となり、被結束物Wの結束を簡単に解除することができる。この摘み代（すなわち、重合部１２Ｃ）の近傍には、マーク用ライン１２Ｆがあるため、摘み代の存在を簡単に知ることができ、結束解除操作をより一層簡単に行うことができる。
【００６６】
また、前述したように、この重合部１２Ｃは、粘着テープ１２で被結束物Ｗを結束する際に、自動的に形成することができる。
【図面の簡単な説明】
【００６７】
【図１】本発明の好適な実施の形態にかかる結束用粘着テープカッターの斜視図である。
【図２】図１に示す結束用粘着テープカッターの正面図である。
【図３】図２に示す結束用粘着テープカッターの平面図であり、粘着テープ巻付体を取り外した状態を示す図である。
【図４】図３に示すIV−IV線に沿った断面図である。
【図５】図２に示す結束用粘着テープカッターの右側面図である。
【図６】図２に示す結束用粘着テープカッターの左側面図である。
【図７】図２に示す結束用粘着テープカッターの分解斜視図であり、粘着テープ巻付体を省略して示す図である。
【図８】図４に示す結束用粘着テープカッターに、粘着テープ巻付体に回転可能に支持された粘着テープ巻付体を取り付けた状態を示す図である。
【図９】図３に示す結束用粘着テープカッターに粘着テープを通過させた状態を示す図である。
【図１０】本実施の形態にかかる結束用粘着テープカッターによる結束操作の過程の一部を説明する図である。
【図１１】本実施の形態にかかる結束用粘着テープカッターによる結束操作の過程の一部を説明する図である。
【図１２】本実施の形態にかかる結束用粘着テープカッターによる結束操作の過程の一部を説明する図である。
【図１３】本実施の形態にかかる結束用粘着テープカッターによる結束操作の過程の一部を説明する図である。
【図１４】本実施の形態にかかる結束用粘着テープカッターによる結束操作の過程の一部を説明する図である。
【図１５】本実施の形態にかかる結束用粘着テープカッターによる結束操作の過程の一部を説明する図である。
【図１６】本実施の形態にかかる結束用粘着テープカッターによる結束操作の過程の一部を説明する図である。
【図１７】本実施の形態にかかる結束用粘着テープカッターによる結束操作の過程の一部を説明する図である。
【図１８】本実施の形態にかかる結束用粘着テープカッターによる結束操作の過程の一部を説明する図である。
【図１９】本実施の形態にかかる結束用粘着テープカッターによる結束操作の過程の一部を説明する図である。
【図２０】本実施の形態にかかる結束用粘着テープカッターによる結束操作の過程の一部を説明する図である。
【図２１】本実施の形態にかかる結束用粘着テープカッターによる結束操作の過程の一部を説明する図である。
【図２２】本実施の形態にかかる結束用粘着テープカッターによって結束された被結束物を示す斜視図である。
【図２３】本実施の形態にかかる結束用粘着テープカッターに使用される粘着テープの一部平面図である。
【符号の説明】
【００６８】
１    結束用粘着テープカッター
１１Ａ、１１Ｂ    支持板
１２    粘着テープ
１２Ａ    粘着面
１２Ｂ    非粘着面
１３    粘着テープ巻付体
１４Ａ、１４Ｂ    切欠き
１５    誘導路
１６    導入口
１７    取出し口
２０    重合部形成機構
２１    第１の支持ロール
２２    折り曲げロール
２３    折り返し部材
２４    貼り合せロール
２５    第２の支持ロール
２９    テープ供給部材
２９Ａ    係合突起
３０    貼着部材
３２    摺動面
３４    テープ切断部
４０    圧着用レバー
【図１】
2006151567.tif 000003
【図２】
2006151567.tif 000004
【図３】
2006151567.tif 000005
【図４】
2006151567.tif 000006
【図５】
2006151567.tif 000007
【図６】
2006151567.tif 000008
【図７】
2006151567.tif 000009
【図８】
2006151567.tif 000010
【図９】
2006151567.tif 000011
【図１０】
2006151567.tif 000012
【図１１】
2006151567.tif 000013
【図１２】
2006151567.tif 000014
【図１３】
2006151567.tif 000015
【図１４】
2006151567.tif 000016
【図１５】
2006151567.tif 000017
【図１６】
2006151567.tif 000018
【図１７】
2006151567.tif 000019
【図１８】
2006151567.tif 000020
【図１９】
2006151567.tif 000021
【図２０】
2006151567.tif 000022
【図２１】
2006151567.tif 000023
【図２２】
2006151567.tif 000024
【図２３】
2006151567.tif 000025